(57)【特許請求の範囲】
【請求項１】
藻類を育成し活着させ得る藻類増殖部材本体と、この藻類増殖部材本体を海底に保持し得る台座部材とを具備してなる藻類増殖部材であって、
前記藻類増殖部材本体の外周縁近傍と前記台座部材との間に隙間を形成してなるものであり、
前記隙間が、前記藻類増殖部材本体と前記台座部材との間に、スペーサ部材を介設し形成されたものであり、
前記藻類増殖部材本体が、表面に複数の突起部を配してなる薄板状のプレート部材を具備してなるものであり、
前記台座部材が、裏面を海底面に取着し得る薄板状の台座プレート部と、この台座プレート部に配設され、前記藻類増殖部材本体と接続し得る本体接続部とを具備してなるものであり、
前記隙間が、前記藻類増殖部材本体の表面に侵入を試みる植食貝類の高さ方向の長さより短い長さであり、且つ前記植食貝類が前記藻類増殖部材本体の上面側に乗り上ることが困難な長さである１〜３ｃｍの範囲に設定され、前記藻類増殖部材本体の外周縁により、前記植食貝類の移動が制限されることを特徴とする藻類増殖部材。
【請求項２】
前記台座プレート部の面積を、前記プレート部材の面積よりも広くしている請求項１記載の藻類増殖部材。
【発明の詳細な説明】
【技術分野】
【０００１】
本発明は、藻場を形成する藻類を育成し、増殖させるための藻類増殖部材に関する。
【背景技術】
【０００２】
従来、いわゆる磯焼け現象などにより消失した藻場をより効率よく回復し、あるいは従前は藻場が存在しなかった箇所に新たに藻場を造成して優良な漁場を創出する方策として、藻類を育成、増殖する機能と海底に保持するための機能とを分けて考慮し、これらを着脱可能に取り付けられるようにした着脱式の藻類増殖部材が考えられている（例えば特許文献１参照）。
【０００３】
藻類増殖部材は、藻類を育成し活着させ得る藻類増殖部材本体と、この藻類増殖部材本体を海底に保持し得る台座部材とを具備するものである。
【０００４】
藻類増殖部材の使用方法は次の通りである。まず、藻類増殖部材本体を用いて生育に適した生育ゾーンで藻類を胞子から初期培養し或いは幼芽から中間培養し、藻類がある程度の大きさになるまで生育する。次に、生育した藻類が付着した藻類増殖部材本体を移設し、藻場の造成エリアである海底に設置した台座部材に取り付ける。このようにして使用される藻類増殖部材を海底に複数配置することにより、藻場を造成し得るものである。
【特許文献１】特許第３５３２８６５号公報
【発明の開示】
【発明が解決しようとする課題】
【０００５】
しかしながら、海底面には磯焼け現象の原因となる食害を引き起こす貝類やウニ等の植食動物（以下、「植食貝類等」という）が生息し、一定の大きさに生育した藻類を海底に移設しても、植食貝類等が藻類増殖部材本体の上面側に乗り上がり藻類を食べてしまうという不具合が生じていた。
【０００６】
この不具合に対しては、植食貝類等の侵入を防御し得るフェンスを藻類増殖部材の周囲に設けるなどの対策が考えられているが、フェンス等の設置には大掛かりな設備や設置作業を必要とするため時間的・コスト的な負担が大きく、海底に複数配置する藻類増殖部材には必ずしも適切な対策とは言えなかった。
【０００７】
本発明は、このような課題に着目してなされたものであって、主たる目的は、比較的簡易な構成で海底面に生息する植食貝類等の食害を回避するとともに、藻類を育成することができる藻類増殖部材を提供することにある。
【課題を解決するための手段】
【０００８】
すなわち、本発明の藻類増殖部材は、藻類を育成し活着させ得る藻類増殖部材本体と、この藻類増殖部材本体を海底に保持し得る台座部材とを具備してなる藻類増殖部材であって、前記藻類増殖部材本体の外周縁近傍と前記台座部材との間に隙間を形成してなるものであり、前記隙間が、前記藻類増殖部材本体と前記台座部材との間に、スペーサ部材を介設し形成されたものであり、前記藻類増殖部材本体が、表面に複数の突起部を配してなる薄板状のプレート部材を具備してなるものであり、前記台座部材が、裏面を海底面に取着し得る薄板状の台座プレート部と、この台座プレート部に配設され、前記藻類増殖部材本体と接続し得る本体接続部とを具備してなるものであり、前記隙間が、前記藻類増殖部材本体の表面に侵入を試みる植食貝類の高さ方向の長さより短い長さであり、且つ前記植食貝類が前記藻類増殖部材本体の上面側に乗り上ることが困難な長さである１〜３ｃｍの範囲に設定され、前記藻類増殖部材本体の外周縁により、前記植食貝類の移動が制限されることを特徴とする。
【０００９】
このようなものであれば、藻類増殖部材本体の外周縁近傍と台座部材との間に形成される隙間により、海底に生息する植食貝類は藻類増殖部材本体に乗り上がることができず、植食貝類による食害を効果的に回避することができる。しかも、前記藻類増殖部材本体の外周縁近傍と台座部材との間に隙間を形成すれば植食貝類による食害を回避することができるため、フェンス等の大掛かりな設置を必要とせず、実用性に富んだものとなる。
【００１０】
なお、前記隙間は、前記藻類増殖部材本体と前記台座部材との間に、スペーサ部材を介設して形成することができる。
【００１１】
また、前記藻類増殖部材本体が、表面に複数の突起部を配してなる薄板状のプレート部材を具備してなるものであれば、藻類が良好に生育及び活着する場を提供することができるとともに、軽量な部材を用いて構成することができるため移設作業等において使い勝手の良いものとなる。
【００１２】
前記台座部材は、前記藻類増殖部材本体を海底に保持し得るものであるが、裏面を海底面に取着し得る薄板状の台座プレート部と、この台座プレート部に配設され、前記藻類増殖部材本体と接続し得る本体接続部とを具備してなるものとすることができる。
【００１３】
なお、「植食貝類」とは、具体的には、サザエ、コシダカガンガラ、クボガイ等の貝類が該当する。
【発明の効果】
【００１４】
以上説明したように本発明によれば、比較的簡易な構成で海底面に生息する植食貝類の食害を回避することができる藻類増殖部材を提供することができる。
【発明を実施するための最良の形態】
【００１５】
以下、本発明の一実施形態を、図面を参照して説明する。
【００１６】
本発明の藻類増殖部材Ｐは、図１〜図５に示すように、藻類（図示せず）を育成し活着させ得る藻類増殖部材本体１と、藻類増殖部材本体１を海底に保持し得る台座部材２と、藻類増殖部材本体１と台座部材２との間に介設され、藻類増殖部材本体１の外周縁ｒ近傍と台座部材２との間に隙間ｇを形成し得るスペーサ部材Ｓとを具備してなる。
【００１７】
藻類増殖部材本体１は、表面１１Ａに複数の突起部である第一突起部１１１ａ、第二突起部１１１ｂ、第三突起部１１１ｃを配してなる薄板状のプレート部材１１とを具備してなる。
【００１８】
プレート部材１１は、２０ｃｍ×６ｃｍ程度の平面視上下左右対称の略長方形状をなし、３〜４ｍｍ程度の厚みを有する樹脂製のものである。そして、プレート部材１１の表面１１Ａに、藻類の生育段階に合わせて３段階に高さを異ならせた複数の突起部である第一突起部１１１ａ、第二突起部１１１ｂ、第三突起部１１１ｃを互いに隣接した状態に配設し、図示しないアラメ、カジメ、クロメ、アカモク、ホンダワラ等の海藻が突起部１１１ａ、１１１ｂ、１１１ｃの周辺に活着しやすい構成としている。なお、複数の突起部１１１ａ、１１１ｂ、１１１ｃには、アラメ等の藻類の胞子や遊走子等を付着させた図示しない種糸を掛け回して取り付けることができる。
【００１９】
第一突起部１１１ａは、プレート部材１１の表面１１Ａを凸の形状をなすように部分的に盛り上げる隆起部であり、前記プレート部材１１と一体に形成している。この第一突起部１１１ａは、藻類の根が生える前の生育段階に適した高さをなすものである。なお、本実施形態における第一突起部１１１ａは、プレート部材１１の表面１１Ａからの高さを０．５ｍｍ程度、その直径を２ｍｍ程度のものとしている。
【００２０】
第二突起部１１１ｂは、第一突起部１１１ａと同様にプレート部材１１の表面１１Ａを凸の形状をなすように部分的に盛り上げる隆起部であり、前記プレート部材１１と一体に形成している。この第二突起部１１１ｂは、第一突起部１１１ａより高く形成してなるもので、藻類の根が生え始めた生育段階に適した高さをなすものである。なお、本実施形態における第二突起部１１１ｂは、プレート部材１１の表面１１Ａからの高さを３ｍｍ程度、その直径を２ｍｍ程度としている。
【００２１】
第三突起部１１１ｃは、第一突起部１１１ａや第二突起部１１１ｂと同様にプレート部材１１の表面１１Ａを凸の形状をなすように部分的に盛り上げる隆起部であり、前記プレート部材１１と一体に形成している。この第三突起部１１１ｃは、第二突起部１１１ｂより高く形成してなるもので、藻類の根が延びた生育段階に適した高さをなすものである。本実施形態における第三突起部１１１ｃは、プレート部材１１の表面１１Ａからの高さを１．５ｃｍ程度、その直径を１ｃｍ程度としている。
【００２２】
また、プレート部材１１の略中央部の位置には、プレート部材１１の厚み方向に貫通した１４ｍｍ程度の幅の挿通孔１２を具備してなる。挿通孔１２は後述する台座部材２の本体接続部２２と接続するためのものであるが、具体的な接続方法等については後述する。
【００２３】
プレート部材１１は、図示しない種糸を差し込んで固定可能な切欠部１３を具備してなる。切欠部１３は、プレート部材１１の対向する両側端から中央に向かってプレート部材１１の一部を長手方向に沿って切り欠いてなるものである。
【００２４】
更に、プレート部材１１の中央部近傍には、複数の突起部１１１ａ、１１１ｂ、１１１ｃを配設しない平面で形成される添接路１４を備えている。この添接路１４は、藻類育成部材本体１を用いて藻類を中間育成する際に、図示しないロープを添接路１４に添接させた状態にし、種々の方法で海中に吊すなどして利用される。なお、前述の挿通孔１２は、藻類増殖部材本体１を海中に吊す際には、図示しないロープ等を取り付けるために利用される。
【００２５】
台座部材２は、海底の岩場やコンクリート等で形成した人工礁等に配置されるもので、藻類増殖部材本体１を海底Ｂに保持し得るものである。
【００２６】
本実施形態の台座部材２は、図１〜図５に示すように、薄板状の台座プレート部２１と、台座プレート部２１の表面２１Ａに配設され藻類増殖部材本体１と接続し得る本体接続部２２と、台座プレート部２１の表面２１Ａに配設され藻類増殖部材本体１のプレート部材１１の外周縁ｒ近傍と台座部材２の台座プレート部２１との間に隙間ｇを形成し得るスペーサ部材Ｓとを具備してなる。
【００２７】
台座プレート部２１は、藻類増殖部材本体１のプレート部材１１よりも面積を広くした２３ｃｍ×１０ｃｍ程度の平面視上下左右対称の略長方形状をなし、３〜４ｍｍ程度の厚みを有する鉄製のものである。
【００２８】
ここで台座プレート部２１の面積をプレート部材１１の面積よりも広いものとしたのは、藻類増殖部材本体１のプレート部材１１の外周縁ｒ近傍と台座部材２の台座プレート部２１の間に隙間ｇを確実に形成させ、海底面の起伏によって隙間ｇが影響を受けるのを避けるためである。
【００２９】
台座プレート部２１の表面２１Ａは、本体接続部２２やスペーサ部材Ｓを溶接等により取り付け可能な平面状をなし、台座プレート部２１の裏面２１Ｂは、水中用接着剤等を塗布し海底Ｂの岩場やコンクリート等で形成した人工礁等に取着するのに好適な平面状をなすものである。もちろん台座プレート部２１を海底Ｂに取り付ける方法は種々の態様があり、本実施形態に示したものに限定されるものではない。
【００３０】
本体接続部２２は、外周面にねじ溝を有する円柱状のボルト部材２２１と、このボルト部材２２１に螺合進退可能に取着し得る取付具Ｘとを具備してなる。ボルト部材２２１は、台座プレート部２１の表面２１Ａの略中央部の位置に垂直に取着されたものである。また、取付具Ｘは、樹脂製のもので藻類増殖部材本体１を着脱可能に取付し得るものである。ここで、藻類増殖部材本体１のプレート部材１１を台座部材に取付する際は、藻類増殖部材本体１のプレート部材１１に設けられた挿通孔１２を台座プレート部２１のボルト部材２２１に挿通させた後に、取付具Ｘにより螺着して固定する。
【００３１】
しかして、台座部材２は、藻類増殖部材本体１のプレート部材１１の外周縁１１１近傍と台座部材２の台座プレート部２１との間に隙間ｇを形成し得るスペーサ部材Ｓを具備したものである。
【００３２】
スペーサ部材Ｓは、鉄等を素材とした横幅１５ｍｍ〜２０ｍｍ程度の六角ナット形状の部材であり、台座プレート部２１の中央部に取着されたボルト部材２２１の近傍に藻類増殖部材本体１の安定を考慮して複数配設されたものである。なお、スペーサ部材Ｓは、藻類増殖部材本体１の外周縁ｒ近傍よりも、藻類増殖部材本体１の中央部寄りに配設される。また、このスペーサ部材Ｓの高さ方向の寸法により、藻類増殖部材本体１の外周縁ｒと台座部材２との間に所定の隙間ｇが形成される。
【００３３】
なお、スペーサ部材Ｓは、藻類増殖部材本体１の外周縁ｒ近傍に隙間ｇを形成し得るものであればどのような部材を用いてもよい。すなわち、スペーサ部材２３の、材料、形状等は種々のものを採用することができる。
【００３４】
ここで、隙間ｇとは、藻類増殖部材本体１の外周縁ｒ近傍と、台座部材２の台座プレート部２１の表面２１Ａとの間に形成されるもので、植食貝類等Ｍが藻類増殖部材本体１の上面側に移動することを困難にさせ得る空間をいう。
【００３５】
隙間ｇは、所定の幅（高さ方向の長さ）に設定されるものである。例えば、この隙間ｇが、植食貝類等Ｍの高さ方向の長さと比較して長いものであると、植食貝類等Ｍ（特に貝類が該当し得る）が台座部材２の台座プレート部２１の表面２１Aを移動してスペーサ部材Ｓを這い上がり、藻類増殖部材本体１のプレート部材１１の裏面１１Ｂを移動して、プレート部材１１の上面側に辿り着いてしまう。一方、隙間ｇが、植食貝類等Ｍの大きさと比較して短か過ぎるものであると、植食貝類等Ｍが台座部材２の台座プレート部２１から隙間ｇを乗り越え、藻類増殖部材本体１の上面側に辿り着いてしまうものとなる。
【００３６】
すなわち、隙間ｇは、藻類増殖部材Ｐの設置海域を考慮して、主たる植食貝類等Ｍの高さ方向の長さよりも短い長さであり、且つ、植食貝類等Ｍが藻類増殖部材本体１の上面側に乗り上ることが困難な高さ方向の長さに形成される。
【００３７】
具体的に、隙間ｇの長さは、植食貝類等Ｍであるサザエ、コシダカガンガラ、クボガイ等の貝類の大きさが１ｃｍ〜８ｃｍであることを考慮して、１ｃｍ〜８ｃｍの範囲に設定される。
【００３８】
また、藻類の根（仮根部）が藻類の成長により伸長した場合に、海底面と接触することができる余地を残しておくためには、隙間ｇの長さが３ｃｍ以下であることが好ましい。
【００３９】
したがって、隙間ｇの長さは、１ｃｍ〜３ｃｍの範囲に設定されることがより好ましい。
【００４０】
なお、隙間ｇが形成される場所を、藻類増殖部本体１（プレート部材１１）の外周縁ｒ近傍としているのは、植食貝類等Ｍが藻類増殖部本体１の表面１１Ａに侵入を試みる場所を考慮したものである。したがって、外周縁ｒ「近傍」とは、藻類増殖部本体１の外周縁ｒから藻類増殖部材本体１の中央部側の所定領域であって、植食貝類等Ｍが藻類増殖部材本体１の外周縁ｒにより移動が制限された場合に、植食貝類等Ｍが触れることが可能な所定領域をいう。
【００４１】
ところで、本実施形態では、スペーサ部材Ｓが台座部材２の台座プレート部２１に取着された形態として説明しているが、スペーサ部材Ｓは藻類増殖部材本体１の外周縁ｒ近傍と台座部材２との間に隙間ｇを形成し得るものであればよく、藻類増殖部材本体１のプレート部材１１の裏面１１Ｂに取着されたものでも、いずれにも取着されていない独立のものでもよい。すなわち、取付具Ｘを用いればプレート部材１１と台座プレート部２１とによってスペーサ部材Ｓが挟持されるため、スペーサ部材Ｓを所定位置に固定することが可能である。
【００４２】
次に、藻類増殖部材本体１を台座部材２に取り付ける方法について説明する。
【００４３】
まず、藻類増殖部材本体１は、図示しない垂下式中間育成システム等の種々の方法により、藻類増殖部材本体１の上に藻類（図示しない）を一定の大きさになるまで育成する。その後、藻類が一定の大きさに成長した後に、藻類増殖部材本体１を移動し、海底の所要箇所に予め設置された台座部材２に取り付けをする。
【００４４】
そして、藻類増殖部材本体１のプレート部材１１を台座部材に取付する際は、藻類増殖部材本体１のプレート部材１１に設けられた挿通孔１２を台座プレート部２１のボルト部材２２１に挿通させた後に、取付具Ｘにより螺着して固定する。本実施形態においては、台座プレート部２１の所定箇所にスペーサ部材Ｓが備えられているので、藻類増殖部材本体１と台座部材２との間には、スペーサ部材Ｓの高さ方向の長さと略同じ長さの隙間ｇが形成される。
【００４５】
このように、本実施形態に係る藻類増殖部材Ｐは、比較的簡易な構成で海底面に生息する植食貝類等Ｍの食害を回避するとともに、藻類を育成することができる藻類増殖部材Ｐを提供することができる。
【００４６】
＜変形例＞
図６及び図７に示すものは、藻類増殖部材Ｐの変形例である。なお、図中において、これまでの実施形態のものと同様の部材については同一の符号を付すこととする。
【００４７】
図６に示すように、藻類増殖部材Ｐは、平面視略円形状をなす台座部材２ａの台座プレート部２２ａと接続し、藻類増殖部材本体１及びこの藻類増殖部材本体１に活着する藻類ＳＷを上面を開放した状態で包囲する側面包囲部３を更に具備してなるものである。
【００４８】
このような構成を備えたものであれば、側面包囲部３が上面を開放した状態で藻類増殖部材１及びこれに活着した藻類ＳＷを包囲するため、海底面に生息する植食貝類等Ｍだけでなく植食魚類（図示せず）の侵入をも遮ることができる。しかも、側面包囲部３が上面を開放した状態で藻類増殖部材１及びこれに活着した藻類ＳＷを包囲するため、上面を覆って植食成魚の侵入を防いでいたものと比較して藻類ＳＷに必要な日光が遮られることがなく、藻類ＳＷの成長に支障を来たすことがないものとなる。
【００４９】
ここで、「上面を開放した状態」とは、側面包囲部３の上端側に、側面包囲部３により形成された内部空間に日光を十分に取り込み得る開口部３３が形成されている状態である。なお、開口部３３とは、側面包囲部３に形成された網目や孔の広さよりも広いものであればよい。
【００５０】
ところで、側面包囲部３は、藻類増殖部材本体１及びこれに活着した藻類ＳＷを上面を開放した状態で包囲してなるものであるため、側面包囲部３の上端側に形成された開口部３３から植食魚類が侵入し、側面包囲部３の内部空間に身を入れて藻類ＳＷを食べてしまうことが懸念されるが、植食魚類の習性上かかる可能性は極めて少ないものである。
【００５１】
すなわち、植食魚類は藻類ＳＷが自生している海域において、窪地に成育する藻類を食べ残していることが調査により判明しており、次のような理由が考えられている。
【００５２】
まず、植食魚類のうち、藻場の藻類ＳＷを食べ尽くす被害をもたらすものは一定の体長を備えた成魚（以下、「植食成魚」という）であるが、植食成魚は藻類ＳＷを噛み切る力が一般的に弱いため、藻類を食べるためには藻類を銜えた状態で体を大きく前後左右に運動させ藻類ＳＷを引き千切る必要がある。このため、植食成魚の運動領域が制限される場所に身を置いて藻類ＳＷを食べることは困難であると考えられる。
【００５３】
次に、植食成魚は常時頭部を下方にした状態を維持して藻類ＳＷを食することが困難であるため、仮に藻類ＳＷの上端部を食されたとしてもその被害は極めて少ないものであると考えられる。
【００５４】
したがって、側面包囲部３の開口部３３の幅及び側面包囲部３の内部空間の幅が、植食成魚の運動領域を制限し得るものであれば、側面包囲部３が上面を開放した状態であっても、藻類ＳＷが植食成魚に食べられる可能性は極めて少ないものである。
【００５５】
なお、ブダイ、アイゴ等に代表される植食成魚の体長が約４０ｃｍ〜４５ｃｍであることを考慮すると、植食成魚の運動領域が制限される側面包囲部３の開口部３３の開口端の幅は、５０ｃｍ以下であることが望ましい。
【００５６】
また、側面包囲部３により形成される内部空間の左右幅は、植食成魚の体長及び内部空間で常時揺れ動く藻類の存在を考慮すると、６０ｃｍ以下であることが望ましい。
【００５７】
側面包囲部３は、丸鋼棒等を利用した金属性のフレーム部材を複数配し網目状（格子状）に形成したもので、図６に示す側面包囲部３の全体形状は下端部と上端部の間を若干外側に広げた円筒状のものである。このような形状にすると、内部空間の藻類が側面包囲部３と接触し、藻類ＳＷの側葉等が損傷することを回避し得るものとなる。また、側面包囲部３を網目状に形成したものであるので、側面包囲部３及び台座プレート部２２により形成された内部空間に潮通りを許容し、藻類増殖部材本体１及びこれに活着した図示しない藻類に新鮮な海水を供給することができる。さらに、金属性のフレーム部材を配して形成したものであると、軟質の網を用いたものと比較して海中での耐用期間が飛躍的に長くなり実用性に富んだものとなる。
【００５８】
詳述すると、側面包囲部３は、水平方向に配設され平面視環状に形成された複数の第一フレーム部材３１と、高さ方向に配設され上端部と下端部の間を若干外側に曲げて形成された複数の第二フレーム部材３２とを具備してなるものである。側面包囲部３に形成された正面視略矩形状をなす複数の網目の寸法は、植食成魚の通過できない程度の大きさに設定される。具体的には、並設される第一フレーム部材３１同士の間隔（高さ方向の間隔）及び第二フレーム部材３２同士の間隔（横方向の間隔）が５ｃｍ以下であるものが好適である。なお、本実施形態における網目の寸法は、５ｃｍ×５ｃｍ程度のものとしている。もちろん、網目の寸法は設置海域の植食成魚の大きさ等に対応して適宜調整してもよい。例えば、網目の寸法を台座プレート部２２ａに近づくにつれて小さくなるように形成すれば、ウニ、巻貝等の植食動物の侵入をも阻害し得るものとなる。また、側面包囲部３は、第一フレーム部材３１及び第二フレーム部材３２をそれぞれ３〜４本程度用いて円筒状の骨枠を形成し、その側面に網等を包囲してなるものでもよい。
【００５９】
側面包囲部３の上端には、開口部３３が形成されている。この開口部３３の大きさは、植食成魚が侵入を嫌う所定の大きさに形成される。具体的には開口部１３の開口端の幅が５０ｃｍ以下であることが望ましい。これは、ブダイ、アイゴ等に代表される植食成魚の体長が４０ｃｍ〜４５ｃｍ程度であり、この植食成魚が藻類を食するために必要とする運動領域を考慮したものである。なお、開口部３３の開口端の幅が３５ｃｍ以上のものであると藻類増殖部材本体１を両手で保持した状態で、側面包囲部３の内部に藻類増殖部材本体１を設置することができるため好適である。したがって、開口部３３の開口端の幅は３０ｃｍ〜４０ｃｍに形成してなるものがよく、より好ましくは３５ｃｍ程度のものである。
【００６０】
また、側面包囲部３の高さ方向の寸法は、５０ｃｍ〜７０ｃｍのものが好適であり、より好ましくは６０ｃｍ程度のものである。これは、藻類増殖部材本体１を手に持って、開口部３３から運び入れる人間の作業の便宜を考慮したものである。
【００６１】
図７に示すものは、図６に示すものと基本的な構成は変わらないが、台座部材２ｂの台座プレート部２２ｂ及び側面包囲部３ｂの形状のみが異なる。
【００６２】
すなわち、図７に示すものは、台座プレート部２２ｂが平面視略長方形状をなすものであり、側面包囲部３ｂが開口部１３ｂを平面視略矩形状に形成し、全体形状を略四角筒状に形成してなるものである。その他、図７に示す実施形態の構成及び作用効果等は、図６にて説明したものと同様であるため、説明を省略する。
【００６３】
なお、本発明は、以上に詳述した実施形態に限られるものではない。
【００６４】
例えば、藻類増殖部材本体は、藻類を育成し活着させ得るものであればよく、本実施形態に示すものに限定されるものではない。例えば、藻類増殖部材本体の形状は、平面視円状のものでも、多角形状のものでもよい。また、藻類増殖部材本体の厚み方向の長さも本実施形態に示すものに限定されず、種々の厚みのものとすることができる。
【００６６】
その他、各部の具体的構成についても上記実施形態に限られるものではなく、本発明の趣旨を逸脱しない範囲で種々変形が可能である。
【図面の簡単な説明】
【００６７】
【図１】本発明の実施形態である藻類増殖部材を示す斜視図。
【図２】本発明の実施形態である藻類増殖部材を示す斜視図。
【図３】本発明の実施形態である藻類増殖部材のＡ−Ａ断面図。
【図４】本発明の実施形態である台座部材を示す正面図。
【図５】本発明の実施形態である台座部材を示す平面図。
【図６】本発明の変形例である藻類増殖部材を示す斜視図。
【図７】本発明の変形例である藻類増殖部材を示す斜視図。
【符号の説明】
【００６８】
１…藻類増殖部材本体
２…台座部材
Ｐ…藻類増殖部材
ｇ…隙間
ｒ…外周縁
【図１】
0004877828.tif 000002
【図２】
0004877828.tif 000003
【図３】
0004877828.tif 000004
【図４】
0004877828.tif 000005
【図５】
0004877828.tif 000006
【図６】
0004877828.tif 000007
【図７】
0004877828.tif 000008